(57)【要約】【課題】サムターンカバーを２本以上の指で押さえながら開けようとしない限り、簡単に上方へ移動しないこと。【解決手段】サムターンを囲むように戸の内壁面に固定され、かつ、左右の側枠部に第１被係合部を有する案内支持部材と、この案内支持部材の前記第１被係合部に係合する係合部を有し、かつ、指で持ち上げて上方へスライドさせると、前記サムターンの摘み操作板の摘み部が現れるサムターンカバーとから成る錠前のサムターン用防犯カバー具。【選択図】  図１
2004339851.tif 000002
【特許請求の範囲】
【請求項１】
サムターンを囲むように戸の内壁面に固定され、かつ、左右の側枠部に第１被係合部を有する案内支持部材と、この案内支持部材の前記第１被係合部に係合する係合部を有し、かつ、指で持ち上げて上方へスライドさせると、前記サムターンの摘み操作板の摘み部が現れるサムターンカバーとから成る錠前のサムターン用防犯カバー具。
【請求項２】
請求項１に於いて、案内支持部材７は、縦長のサムターン３の下端部をカバーするケース状支持部１１と、この支持部に左右の側枠部１２ａがそれぞれ連設する案内支持部１２とから成ることを特徴とする錠前のサムターン用防犯カバー具。
【請求項３】
請求項１又は請求項２に於いて、サムターンカバーの下端縁には、案内支持部材の支持部に形成した第２被係合部１３と係脱する少なくとも１個の係合爪片２０が設けられていることを特徴とする錠前のサムターン用防犯カバー具。
【請求項４】
請求項１に於いて、案内支持部材の第１被係合部８は縦溝であり、一方、サムターンカバーの係合部９は、前記縦溝に係合する複数個の小突起であることを特徴とする錠前のサムターン用防犯カバー具。
【請求項５】
請求項１に於いて、案内支持部材のケース状支持部１１の上端支持面１６とサムターンカバー１０の下端部の端面は、ぴったりと合うことを特徴とする錠前のサムターン用防犯カバー具。
【請求項６】
請求項１又は請求項４に於いて、サムターンカバーを持ち上げてサムターンの操作片の摘み部が完全に現れた後に、サムターンカバーが自然落下しないように案内支持部材の縦溝内の上部位置に、サムターンカバーの係合部がスライド係合する支持突起を設けたことを特徴とする錠前のサムターン用防犯カバー具。
【請求項７】
請求項１又は請求項５に於いて、案内支持部材の左右の側枠部１２ａ，１２ａの上端部に、第１被係合部に連通する切欠部１４，１４が形成されていることを特徴とする錠前のサムターン用防犯カバー具。
【請求項８】
請求項１に於いて、サムターンカバー１０Ａの左右の側壁１０ａ，１０ａの下端部に、複数個のスリット２５を形成したことを特徴とする錠前のサムターン用防犯カバー具。
【発明の詳細な説明】
【０００１】
【発明の属する技術分野】
本発明は、戸（開閉戸、引戸など）の錠前のサムターン用防犯カバー具に関する。
【０００２】
【従来の技術】
従来、内側の引戸に取り付けられる錠前の操作具は、例えばケース状の取り付け枠と、この取り付け枠に上下方向にスライド自在に装着され、かつ、取り付け枠の垂直案内長孔から突出する摘み部を有する摘み操作板（「サムターン操作板」）とから成り、前記摘み操作板には、内側の引戸に設けられた引戸錠の施錠片（例えば鎌片）を施錠又は解錠方向へ作動させるための駆動軸等が設けられていた。
【０００３】
上記構成に於いて、内外の引戸が鎌片を介して施錠されている場合、泥棒が引戸錠の鎌片を後退させようと不正解錠をする場合には、ドリルを用いて戸に孔を開ける例もあるが、例えば重なり合った内側と外側の框の接合面に硬いバーを差込み、無理やりに隙間を作る。
【０００４】
そして、先端部が鉤状の針金部材（泥棒の道具の一つ）を隙間から差込み、引戸錠を構成する摘み操作板の摘み部に引っ掛けようとする。このような場合、針金部材の先端部が摘み部に引っ掛かると、泥棒は摘み部を介して上手に摘み操作板を上方に持ち上げる。そうすると、鎌片が摘み操作板のスライド、連動部材の移動を介して後退する。
【０００５】
したがって、摘み操作板を単純に持ち上げる又は押し下げるという操作により鎌片が解錠する引戸錠は、不正解錠される確立が高いという問題点がある。このような問題点を解決する先行技術文献として、特開２００３−５６２１８号公報がある。
【０００６】
【発明が解決しようとする課題】
本発明の第１の目的は、泥棒が戸に孔を開け、又は戸の隙間から針金部材などを利用して摘み操作板を操作し、錠前の鎌片を解錠状態にすることを防止する防犯カバー具を提供することである。第２の目的は、防犯カバー具のサムターンカバーを２本以上の指で押さえながら開けようとしない限り、簡単に上方へ移動しないことである。第３の目的は、防犯カバー具のサムターンカバーを所要の位置まで持ち上げた場合に於いて、サムターンカバーから指を離しても、サムターンカバーはそのまま開いた状態に停止していることである。第４の目的はサムターンカバーを案内支持部材に簡単に取り付けることができる反面、一旦、案内支持部材にサムターンカバーを取り付けた場合に、該カバーを簡単に取り外すことができないことである。第５の目的は、摘み部が上下方向へと移動する縦長のサムターンもカバーすることができることである。
【０００７】
【課題を解決するための手段】
本発明のサムターン用防犯カバー具は、サムターンを囲むように戸の内壁面に固定され、かつ、左右の側枠部に第１被係合部を有する案内支持部材と、この案内支持部材の前記第１被係合部に係合する係合部を有し、かつ、指で持ち上げて上方へスライドさせると、前記サムターンの摘み操作板の摘み部が現れるサムターンカバーとから成ることを特長とする。
【０００８】
【発明の実施の形態】
図１乃至図１３は、本発明の一実施例を示す各説明図である。１は戸（開閉戸、引戸など）の錠前のサムターン用防犯カバー具（以下、単に「防犯カバー具」という。）である。
【０００９】
防犯カバー具１は、図１で示すように内側の引戸２の内壁面（例えば縦框）２ａに、サムターン３全体をカバー状態で囲むように固定的に取り付けられる。錠前の一例としての引戸錠の構成は特に図示しないが、一般に内側引戸２の縦框内に設けられ、かつ、連動部材に軸支された施錠片（鎌片）を有する。施錠片は相手方の外側引戸に設けた受け金具に掛合する。本実施例では引戸錠そのものは発明の特定要件ではないので、詳細な説明は割愛する。
【００１０】
３は錠前の施錠片を施錠又は解錠方向へ動かすためのサムターンで、このサムターン３も引戸２の内壁面（例えば縦框）２ａに固着具４を介して取り付けられている。サムターン３の構成部材を大まかに区分けすると、任意形状のケース本体５と、このケース本体５内にスライド自在に内装され、かつ、ケース本体５の案内窓５ａから突出する摘み部６ａを有する摘み操作板６と、この摘み操作板６に連動する施錠片とから構成されている。
【００１１】
そこで、本発明の防犯カバー具１の構成について説明する。防犯カバー具１は、図２で示すように、サムターン３の一部又は全体（本実施例ではケース本体５の全体）を囲むように戸２の内壁面２ａに固定され、かつ、左右の側枠部に第１被係合部８，８を有する案内支持部材７と、この案内支持部材７の前記第１被係合部８，８に係合する小突起状の係合部９ａ，９ｂを有し、かつ、指で持ち上げて上方へスライドさせると、前記サムターン３の摘み操作板６の摘み部６ａが現れる透明或いは半透明のサムターンカバー１０とから成る。
【００１２】
まず、案内支持部材７について説明する。案内支持部材７は、縦長のサムターン３の下端部３ａをカバーするケース状支持部１１と、この支持部１１の左右の側壁１１ａ，１１ａに、左右の側枠部１２ａ，１２ａがそれぞれ連設する枠状の案内支持部１２とから成る。
【００１３】
案内支持部１２は、端面Ｌ型の上枠部１２ｂを有する必要はないが、本実施例では、案内支持部１２を強靭にする、上枠部１２ｂを介して引戸２の内壁面２ａに強固に固定する等の理由から、上枠部１２ｂを端面Ｌ型或いは断面Ｌ型状に形成している。したがって、案内支持部１２の左右の側枠部１２ａ，１２ａの上部には、前記上枠部１２ｂと平行な補強リブを設けても良い。
【００１４】
しかして、前記下方のケース状支持部１１は、上壁と後壁（背面の壁）を有していない。支持部１１の左右側壁１１ａ，１１ａの上端部には、第２被係合部（小孔、小溝など）１３，１３が形成されている。また左右側壁１１ａ，１１ａは、上端部を除き、強靭にするために肉厚に形成されている。
【００１５】
一方、案内支持部１２の左右側枠部１２ａ，１２ａは、柱状に形成された左右一対の側壁部に相当する。本実施例では、これら左右側枠部１２ａ，１２ａの外壁面に、前述した第１被係合部としての縦溝８が形成されている。
【００１６】
１４は左右の側枠部１２ａ，１２ａの上端部にそれぞれ形成された左右一対の切欠部で、これらの切欠部１４，１４は前記縦溝８，８にそれぞれ連通する。これらの切欠部１４，１４は、サムターンカバー１０の左右の小突起状係合部９，９をそれぞれ通す幅を有している。
【００１７】
ところで、前記縦溝８，８内の上部位置には、外方向に飛び出た断面山形或いは半円弧状（本実施例では断面山形）支持突起１５がそれぞれ形成されている。これらの支持突起１５は、図１１で示すように、下方の傾斜面１５ａと、上方の支持傾斜面１５ｂとを有している。
【００１８】
次にサムターンカバー１０について説明する。サムターンカバー１０は、図１で示すようにケース状に形成されているものの、図１０の概略縦断面で明らかなように後壁（背面の壁）と下壁とを有しない。そこで、各壁に符号を付すると、１０ａは前壁、１０ｂ，１０ｂは左右の側壁、１０ｃは上壁である。
【００１９】
しかして、前記左右側壁１０ｂ，１０ｂの下端部は、案内支持部材７の支持部１１の上端部が段差状に形成されていることから、その段差状の上端支持面１６にぴったりと乗っかる（適合する）ように段差状に形成されている。
【００２０】
また、左右側壁１０ｂ，１０ｂの下端縁には、前述した案内支持部材７の第２被係合部１３，１３とそれぞれ同時に係脱する左右一対の係合爪片２０，２０が舌片状に突出している。これらの係合爪片２０，２０又は左右の側壁１０ｂ，１０ｂの下端部は、材質自体により、弾性復帰変形機能を有している。
【００２１】
さらに、本実施例では、左右側壁１０ｂ，１０ｂの下端部の内壁面に、案内支持部材７の第１被係合部（縦溝）８，８にそれぞれスライド係合する複数個（例えば合計４個）の係合部９ａ，９ｂが小突起状に形成されている。これらの小突起状係合部９ａ，９ｂは、上下方向に所要間隔離間して位置していると共に、案内支持部材７の切欠部１４，１４から縦溝８，８内へと入り込むことが可能である。
【００２２】
上記構成に於いて、図２〜図５はサムターンカバー１０を閉じた状態の概略説明図である。この時サムターンカバー１０の係合爪片２０，２０は、案内支持部材７の第２被係合部１３，１３に係合し、またサムターンカバー１０の下端面が案内部材７の支持部１１の上端支持面１６にぴったりと合っていることから、泥棒が、例えば戸２の隙間から針金部材を入れてサムターンカバー１０を開けようとしても、針金部材の鉤状先端部はサムターンカバー１０の下端面等に引っ掛からない。
【００２３】
したがって、サムターンカバー１０を開けることができない。泥棒がサムターンカバー１０を開けようと戸の外から道具を操作しても、案内支持部材７の支持部１１の側壁１１ａ、底壁１１ｂ、前壁１１ｃ等に当たるだけである。
【００２４】
これに対して、居住者がサムターンカバー１０を開けようとする場合には、図９で示すようにサムターンカバー１０の左右の側壁１０ｂ，１０ｂを、２本以上の指で摘み押圧する。
【００２５】
そうすると、左右側壁１０ｂ，１０ｂの下端部は、図９で示すように弾性復帰変形機能を有していることから内側に多少変位し、左右の係合爪片２０，２０は、第２被係合部１３，１３から外れる。そこで、そのままサムターンカバー１０を持ち上げると、サムターンカバー１０は複数個の係合部９を介して案内支持部材７の縦溝８をスライドする。
【００２６】
図９で示すように指で摘んでサムターンカバーを持ち上げ、図１０で示すようにサムターン３の摘み部６ａが完全に現れた所あるいはその後に、サムターンカバー１０の上位の係合部９ａは案内支持部材７の支持突起１５の下方傾斜面１５ａを乗り越える。
【００２７】
そうすると、図１１で示すように、サムターンカバー１０の上位の係合部９ａは前記支持突起１５の上方傾斜支持面１５ｂに乗っかるので、該サムターンカバーは自然落下しない。
【００２８】
サムターンカバー１０を閉じる時は、サムターンカバー１０の上壁１０ｃを押し下げると、図１１の態様と逆になるから、ストレートにスライド落下し、サムターンカバー１０の係合爪片２０，２０は、案内支持部材７の第２被係合部１３に同時に係合する。この場合係合爪片２０，２０は、内側に変位した後に第２被係合部１３に係合する。
【００２９】
図１２及び図１３は、サムターンカバー１０を案内支持部材７に嵌め込む場合の説明図である。本実施例では、案内支持部材７の上端部に左右一対の切欠部１４，１４が形成されているので、そこから、まずサムターンカバー１０の下位の係合部９ｂを縦溝８，８へと嵌め込み（図１２）、次に上位の係合部９ａを縦溝８，８へと嵌め込む。そうすると、サムターンカバー１０と案内支持部材７は、一つの防犯カバー具１となる。
【００３０】
防犯カバー具１を戸２の内壁面２ａに固定すると、そのサムターンカバー１０は、図１２で示すように内壁面２ａ側に傾倒させることができないから、一旦、防犯カバー具１を戸２の内壁面２ａに固定すると、サムターンカバー１０を案内支持部材７からそう簡単には取り外すことができない。
【００３１】
【実施例】
サムターンカバー１０の左右側壁１０ｂ，１０ｂの下端部は、弾性変形機能及び弾性復帰機能を有する方がベターであるから、サムターンカバー１０は合成樹脂材で形成されている。案内支持部材７の第２被係合部１３，１３とそれぞれ同時に係脱する左右一対の係合爪片２０，２０は、一個でも良い。また前記係合爪片２０の形状や設ける箇所に関しては、任意に設計変更することができる。サムターンカバー１０の形態についは特に限定するものではない。
【００３２】
さらに、図１４で示すように、サムターンカバー１０Ａの左右の側壁１０ａ，１０ａの下端部を指で摘んで押圧した時に於いて、該下端部（特に縁部）が容易に内側に変位するように合計２のスリット（細隙）２５，２５を適宜に形成しても良い。このサムターンカバー１０Ａでは、サムターンカバー１０Ａの前壁１０ａと左右の側壁１０ｂ，１０ｂとの境界部分に相当する、或いは境界付近の下端部に縦方向の短いスリット２５，２５を形成してある。
【００３３】
【発明の効果】
以上の説明から明らかなように、本発明にあっては、次に列挙するような効果がある。
（１）防犯カバー具のサムターンカバーを２本以上の指で押さえながら開けようとしない限り、簡単に上方へ移動しない。したがって、発明の第１の目的を十分に達成することができる。
（２）摘み部が上下方向へと移動する縦長のサムターンもカバーすることができる。
（３）防犯カバー具のサムターンカバーを所要の位置まで持ち上げた場合に於いて、サムターンカバーから指を離しても、サムターンカバーはそのまま開いた状態に停止している。
（４）サムターンカバーを案内支持部材に簡単に取り付けることができるができる反面、一旦、案内支持部材にサムターンカバーを取り付けた場合に、該カバーを簡単に取り外すことができない。
【図面の簡単な説明】
図１乃至図１３は本発明の一実施例を示す各説明図。図１４はサムターンカバーの他の実施例を示す斜視図。
【図１】実施形態の一例を示した分解斜視図。
【図２】斜視図（サムターンカバーは仮想線）。
【図３】戸の内壁面に固定した場合の正面図。
【図４】図３を基準にした右側面からの説明図（サムターンカバーは仮想線）。
【図５】図３の５−５線に基づく概略断面説明図（一部を切欠している）。
【図６】図３の６−６線に基づく概略断面説明図。
【図７】図３の７−７線に基づく概略断面説明図。
【図８】要部（切欠部）の説明図。
【図９】サムターンカバーを指で摘んで開ける時の説明図。
【図１０】サムターンカバーをそのまま持ち上げた場合の説明図。
【図１１】サムターンカバーが落下しないように支持される時の概略説明図。
【図１２】サムターンカバーの下位の係合部を案内支持部材に嵌め込む時の説明図。
【図１３】サムターンカバーの上位の係合部を案内支持部材に嵌め込む時の説明図。
【図１４】サムターンカバーの他の実施例を示す斜視図。
【符号の説明】
１…防犯カバー具、２…戸、２ａ…内壁面、３…サムターン、３ａ…下端部、５…ケース本体、６…摘み操作板、６ａ…摘み部、７…案内支持部材、８…第１被係合部、９ａ，９ｂ…係合部、１０，１０Ａ…サムターンカバー、１０ａ…カバーの前壁、１０ｂ…カバーの左右側壁、１１…ケース状支持部、１１ａ…支持部の左右側壁、１２…枠状案内支持部、１２ａ…案内支持部の左右側枠部、１２ｂ…上枠部、１３…第２被係合部、１４…切欠部、１５…支持突起、１５ａ…下方の傾斜面、１５ｂ…上方の支持傾斜面、１６…支持部の上端支持面、２０…係合爪片、２５…スリット。
【図１】
2004339851.tif 000003
【図２】
2004339851.tif 000004
【図３】
2004339851.tif 000005
【図４】
2004339851.tif 000006
【図５】
2004339851.tif 000007
【図６】
2004339851.tif 000008
【図７】
2004339851.tif 000009
【図８】
2004339851.tif 000010
【図９】
2004339851.tif 000011
【図１０】
2004339851.tif 000012
【図１１】
2004339851.tif 000013
【図１２】
2004339851.tif 000014
【図１３】
2004339851.tif 000015
【図１４】
2004339851.tif 000016